(57)【要約】  メッセージ送信／受信装置、方法及び通信システムである。該メッセージ送信方法は、１つ又は複数のユーザ装置への送信待ちのメッセージのメッセージ類型を確定し；前記メッセージ類型に対応する標識を採用して前記メッセージの制御情報に対してスクランブリングを行い、そのうち、異なる標識が、異なるメッセージ類型に対応し；及び、前記１つ又は複数のユーザ装置に前記メッセージのデータ情報及びスクランブリング後の制御情報を送信することを含む。これにより、ユーザ装置は、望ましくないメッセージを継続して処理せず、ユーザ装置の電力消費を軽減することができる。
2019519133.tif 000002
【特許請求の範囲】
【請求項１】
メッセージ送信装置であって、
１つ又は複数のユーザ装置への送信待ちのメッセージのメッセージ類型を確定するための類型確定ユニット；
前記メッセージ類型に対応する標識を用いて、前記メッセージの制御情報に対してスクランブリングを行うための情報スクランブリングユニットであって、異なる標識が、異なるメッセージ類型に対応する、情報スクランブリングユニット；及び
前記１つ又は複数のユーザ装置に、前記メッセージのデータ情報及びスクランブリング後の制御情報を送信するためのメッセージ送信ユニットを含む、メッセージ送信装置。
【請求項２】
請求項1に記載のメッセージ送信装置であって、
前記メッセージ類型と前記標識との対応関係が、予め設定されており、又は、ユーザ装置により報告された補助情報に基づいて設定される、メッセージ送信装置。
【請求項３】
請求項1に記載のメッセージ送信装置であって、
所定の情報、又はユーザ装置により報告された補助情報に基づいて、ユーザ装置の好みのメッセージ類型を確定するための好み確定ユニットをさらに含む、メッセージ送信装置。
【請求項４】
請求項3に記載のメッセージ送信装置であって、
前記メッセージのメッセージ類型に基づいて、セルにユーザ装置の好みの前記メッセージが存在するかを判断するためのユーザ判断ユニットをさらに含み、
前記セルにユーザ装置の好みの前記メッセージが存在する場合に、前記情報スクランブリングユニットは、前記メッセージ類型に対応する標識を用いて、前記制御情報に対してスクランブリングを行い、前記メッセージ送信ユニットは、前記データ情報及びスクランブリング後の制御情報を送信する、メッセージ送信装置。
【請求項５】
請求項1に記載のメッセージ送信装置であって、
送信待ちの２つ又は２つ以上のメッセージの内容が同じであり又は相似しているかを判断するためのメッセージ判断ユニット；及び
前記２つ又は２つ以上のメッセージの内容が同じであり又は相似している場合、前記２つ又は２つ以上のメッセージを１つのメッセージに併合するためのメッセージ併合ユニットをさらに含む、メッセージ送信装置。
【請求項６】
請求項1に記載のメッセージ送信装置であって、
ユーザ装置により報告された補助情報を受信するための情報受信ユニットをさらに含む、メッセージ送信装置。
【請求項７】
請求項6に記載のメッセージ送信装置であって、
前記補助情報は、ユーザ装置の種類情報、ユーザ装置の好みのメッセージ類型情報、ユーザ装置の好みのメッセージ類型の優先レベル情報、ユーザ装置の位置情報、ユーザ装置の電力状態情報、及びユーザ装置の電力レベル情報のうちの１つ又は複数を含む、メッセージ送信装置。
【請求項８】
請求項1に記載のメッセージ送信装置であって、
所定の情報、又はユーザ装置により報告された補助情報に基づいて、１つ又は複数のメッセージ類型のために、対応する標識を割り当てるための標識割り当てユニットをさらに含む、メッセージ送信装置。
【請求項９】
請求項8に記載のメッセージ送信装置であって、
前記ユーザ装置に、メッセージ類型に対応する標識及び／又は前記標識の優先レベルを送信するための標識送信ユニットをさらに含む、メッセージ送信装置。
【請求項１０】
請求項6に記載のメッセージ送信装置であって、
前記補助情報における電力状態情報及び／又は電力レベル情報に基づいて、前記ユーザ装置の受信レベルを確定するためのレベル確定ユニットをさらに含む、メッセージ送信装置。
【請求項１１】
請求項10に記載のメッセージ送信装置であって、
前記ユーザ装置に前記受信レベルを送信するためのレベル送信ユニットをさらに含む、メッセージ送信装置。
【請求項１２】
メッセージ受信装置であって、
メッセージ類型に対応する標識を用いて、受信した制御情報に対してスクランブリング解読を行うためのスクランブリング解読ユニットであって、異なる標識が、異なるメッセージ類型に対応する、スクランブリング解読ユニット；及び
前記制御情報を成功裏にスクランブリング解読した場合、前記制御情報に対応づけられているデータ情報を受信するためのメッセージ受信ユニットを含む、メッセージ受信装置。
【請求項１３】
請求項12に記載のメッセージ受信装置であって、
前記スクランブリング解読ユニットは、前記標識が複数ある場合、前記標識の優先レベルに従って、受信した制御情報に対してスクランブリング解読を行う、メッセージ受信装置。
【請求項１４】
請求項12に記載のメッセージ受信装置であって、
ネットワーク機器に補助情報を報告するための情報報告ユニットをさらに含む、メッセージ受信装置。
【請求項１５】
請求項14に記載のメッセージ受信装置であって、
前記補助情報は、ユーザ装置の種類情報、ユーザ装置の好みのメッセージ類型情報、ユーザ装置の好みのメッセージ類型の優先レベル情報、ユーザ装置の位置情報、ユーザ装置の電力状態情報、及びユーザ装置の電力レベル情報のうちの１つ又は複数を含む、メッセージ受信装置。
【請求項１６】
請求項15に記載のメッセージ受信装置であって、
前記ユーザ装置の好みのメッセージ類型情報及び／又は前記優先レベル情報は、ユーザ装置がネットワークアクセス時に報告し、又は、周期的に報告し、又は、情報変更時に報告し、
前記ユーザ装置の種類情報は、前記ユーザ装置がネットワークアクセス時に報告し、
前記ユーザ装置の位置情報は、周期的に報告し、又は、前記ユーザ装置がセルの１つの領域からもう１つの領域に進入する時に報告し、又は、前記ユーザ装置の移動距離が所定の閾値に達した時に報告し、
前記ユーザ装置の電力状態情報及び／又は電力レベル情報は、周期的に報告し、又は、情報変更時に報告する、メッセージ受信装置。
【請求項１７】
請求項12に記載のメッセージ受信装置であって、
ネットワーク機器により送信された、メッセージ類型に対応する標識及び／又は前記標識の優先レベルを受信するための標識受信ユニットをさらに含む、メッセージ受信装置。
【請求項１８】
請求項14に記載のメッセージ受信装置であって、
ネットワーク機器により送信された受信レベル情報を受信するためのレベル受信ユニットをさらに含み、
前記受信レベル情報は、前記ネットワーク機器が前記補助情報における電力状態情報及び／又は電力レベル情報に基づいて確定する、メッセージ受信装置。
【請求項１９】
請求項12に記載のメッセージ受信装置であって、
ユーザ装置の現在の電力状態及び／又は現在の電力レベルに基づいて、前記ユーザ装置の受信レベルを確定し、又は、ネットワーク機器から受信した受信レベル情報に基づいて、前記ユーザ装置の受信レベルを確定するためのレベル確定ユニットをさらに含み、
前記スクランブリング解読ユニットは、さらに、優先レベルが前記受信レベル以上である１つ又は複数の標識を用いて、受信した制御情報に対してスクランブリング解読を行うために用いられる、メッセージ受信装置。
【請求項２０】
通信システムであって、
請求項1に記載のメッセージ送信装置を有するネットワーク機器；及び
請求項12に記載のメッセージ受信装置を有するユーザ装置を含む、通信システム。
【発明の詳細な説明】
【技術分野】
【０００１】
本発明は、通信分野に関し、特に、メッセージ送信／受信装置、方法及び通信システムに関する。
【背景技術】
【０００２】
社会の絶え間ない発展及び進歩に伴って、通信サービスのニーズの持続的な増長が未来の無線通信システムにチャレンジをもたらす。迅速に増加するサービス量及び日々増える新しいサービスをサポートするために、世界の各研究機構及び標準化組織は、相次いで第五世代（5G）無線通信システムの研究を発足している。
【０００３】
例えば、“IoV（Internet  of  Vehicles）”は、既に多くの研究機構及び標準化組織に注目されている。3GPP（3GPP、3rd  Generation  Partnership  Project）では、IoVの３種類のシナリオ、即ち、車両と車両（vehicle-to-vehicle、V2V）、車両とネットワーク（vehicle-to-infrastructure／network、V2I／N）、及び車両と歩行者（vehicle-to-pedestrian、V2P）のシナリオが定義されており、V2X通信と総称されても良い。
【０００４】
また、例えば、次のような応用シナリオ、即ち、MTC（MTC、Machine  Type  Communication）、eMBB（eMBB、enhanced  Mobile  Broadband）、uRLLC（uRLLC、ultra-Reliable  Low  Latency  Communication）なども言及されている。
【０００５】
一方、ユーザ装置（UE、User  Equipment）が、無線通信システム中の重要な構成部分であり、ユーザに各種の通信サービスを直接提供するキャリアである。ユーザ装置は、携帯電話などの人向けのような端末に限られず、センサー、マシン、ロボットなどのIoT（IoT、Internet  of  Things）向けのようなものも幅広く応用されている。ユーザ装置の体積が限られているため、サービスの種類が多様化になり、ユーザのニーズが絶えず高まるにつれて、ユーザ装置が直面する複雑度及び電力消費の問題はより厳しくなる。
【０００６】
なお、上述の背景技術についての紹介は、本発明の技術案を明確かつ完全に説明し、また、当業者がそれを理解しやすいためのものである。これらの案は、本発明の背景技術の部分に記述されているため、当業者にとって周知であると解釈すべきではない。
【発明の概要】
【発明が解決しようとする課題】
【０００７】
発明者は、次のようなことを発見した。即ち、未来の無線通信システムは、ユーザの大量の多様性のサービスのニーズを満足すると同時に、できるだけユーザ装置の電力消費を軽減することをさらに考慮する必要がある。例えば、V2P、MTCなどの通信では、大量のメッセージ（例えば、ブロードキャスト／マルチキャストメッセージ）の送信及び受信は、ユーザ装置がメッセージを頻繁にモニタリングして受信することを来し、電力消費が高すぎるようになる恐れがある。
【０００８】
本発明の実施例は、メッセージ送信／受信装置、方法及び通信システムを提供する。メッセージ類型に対応する標識により、メッセージの制御情報に対してスクランブリング／スクランブル解読（解析）（scrambling／descrambling）を行うことで、ユーザ装置の電力消費を軽減することができる。
【課題を解決するための手段】
【０００９】
本発明の実施例の第一側面によれば、メッセージ送信方法が提供され、それは、
１つ又は複数のユーザ装置への送信待ちのメッセージのメッセージ類型を確定し；
前記メッセージ類型に対応する標識を採用して、前記メッセージの制御情報に対してスクランブリングを行い、そのうち、異なる標識が、異なるメッセージ類型に対応し；及び
前記１つ又は複数のユーザ装置に、前記メッセージのデータ情報及びスクランブリング後の制御情報を送信することを含む。
【００１０】
本発明の実施例の第二側面によれば、メッセージ送信装置が提供され、それは、
１つ又は複数のユーザ装置への送信待ちのメッセージのメッセージ類型を確定するための類型確定ユニット；
前記メッセージ類型に対応する標識を採用して、前記メッセージの制御情報に対してスクランブリングを行うための情報スクランブリングユニットであって、異なる標識が、異なるメッセージ類型に対応する、情報スクランブリングユニット；及び
前記１つ又は複数のユーザ装置に、前記メッセージのデータ情報及びスクランブリング後の制御情報を送信するためのメッセージ送信ユニットを含む。
【００１１】
本発明の実施例の第三側面によれば、メッセージ受信方法が提供され、それは、
メッセージ類型に対応する標識を採用して、受信した制御情報に対してスクランブリング解読を行い、そのうち、異なる標識が、異なるメッセージ類型に対応し；及び
前記制御情報を成功裏にスクランブリング解読した場合、前記制御情報に対応づけられているデータ情報を受信することを含む。
【００１２】
本発明の実施例の第四側面によれば、メッセージ受信装置が提供され、それは、
メッセージ類型に対応する標識を採用して、受信した制御情報に対してスクランブリング解読を行うためのスクランブリング解読ユニットであって、異なる標識が、異なるメッセージ類型に対応する、スクランブリング解読ユニット；及び
前記制御情報を成功裏にスクランブリング解読した場合、前記制御情報に対応づけられているデータ情報を受信するためのメッセージ受信ユニットを含む。
【００１３】
本発明の実施例の第五側面によれば、通信システムが提供され、前記通信システムは、
上述のようなメッセージ送信装置を有するネットワーク機器；及び
上述のようなメッセージ受信装置を有するユーザ装置を含む。
【００１４】
本発明の実施例の有益な効果は、次の通りであり、即ち、ネットワーク機器が、メッセージ類型に対応する標識により、メッセージの制御情報に対してスクランブリングを行い、ユーザ装置が、メッセージ類型に対応する標識により、制御情報に対してスクランブリング解読を行い、制御情報を成功裏にスクランブリング解読した場合にのみ継続して前記メッセージ（即ち、データ情報）を受信し、これにより、該ユーザ装置は、望ましくないメッセージについて継続して処理しなくても良いため、ユーザ装置の電力消費を軽減することができる。
【００１５】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００１６】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００１７】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１８】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面中の対応する部品を示し、複数の実施形態に用いる対応部品を示すためにも用いられる。
【００１９】
含まれている図面は、本発明の実施例への更なる理解を提供するために用いられ、これらの図面は、本明細書の一部を構成しており、本発明の実施形態を例示し、また、文字記載とともに本発明の原理を説明するために用いられる。また、明らかのように、以下に記載されている図面は、本発明の幾つかの実施例を示すためのものに過ぎず、当業者は、創造性のある労働を行わずにこれらの図面に基づいて他の図面を得ることもできる。
【図１】本発明の実施例1におけるメッセージ送信方法を示す図である。
【図２】本発明の実施例1におけるメッセージ送信方法を示す他の図である。
【図３】本発明の実施例1における標識割り当てを示す図である。
【図４】本発明の実施例1における標識割り当てを示す他の図である。
【図５】本発明の実施例1における受信レベルのフィードバックを示す図である。
【図６】本発明の実施例2におけるメッセージ受信方法を示す図である。
【図７】本発明の実施例2におけるメッセージ受信方法を示す他の図である。
【図８】本発明の実施例3におけるメッセージ送信装置を示す図である。
【図９】本発明の実施例3におけるメッセージ送信装置を示す他の図である。
【図１０】本発明の実施例4におけるメッセージ受信装置を示す図である。
【図１１】本発明の実施例4におけるメッセージ受信装置を示す他の図である。
【図１２】本発明の実施例5における通信システムの構成図である。
【図１３】本発明の実施例5におけるネットワーク機器の構成図である。
【図１４】本発明の実施例5におけるユーザ装置の構成図である。
【発明を実施するための形態】
【００２０】
添付した図面及び以下の説明を参照することにより、本発明の前述及び他の特徴が明らかになる。なお、明細書及び図面では、本発明の特定の実施方式を開示しているが、それは、本発明の原理を採用し得る一部のみの実施方式を示し、理解すべきは、本発明は、記載されている実施方式に限定されず、即ち、本発明は、添付した特許請求の範囲内での全ての変更、変形及び代替によるものも含むということである。
【００２１】
本願では、ネットワーク機器は、例えば、基地局であり、基地局は、アクセスポイント、ブロードキャスト送信機、ノードB、進化ノードB(eNB)などと称されても良く、且つそれらの一部又は全部の機能を含んでも良い。本文では、用語“基地局”を用い、各基地局は、特定の地理的領域に通信カバレッジを提供する。
【００２２】
また、本願では、移動局又は移動機器は、“ユーザ装置”(UE)と称されても良い。UEは、固定したもの又は移動可能なものであっても良く、また、移動ステーション、端末、アクセス端末、ユーザユニット、ステーションなどと称されても良い。UEは、セルラーフォン、PDA、無線モデム、無線通信装置、携帯装置、ノートブック型コンピュータ、コードレスフォン、車両などであっても良い。
【００２３】
以下、図面を参照しながら本発明の実施例について説明を行う。
【実施例１】
【００２４】
本発明の実施例は、メッセージ送信方法を提供し、以下、ネットワーク機器（例えば、基地局）側からそれを説明する。
【００２５】
図1は、本発明の実施例のメッセージ送信方法を示す図である。図1に示すように、メッセージ送信方法は、次のようなステップを含む。
【００２６】
ステップ101：ネットワーク機器は、１つ又は複数のユーザ装置への送信待ちのメッセージのメッセージ類型を確定し；
ステップ102：ネットワーク機器は、該メッセージ類型に対応する標識を採用して、該メッセージの制御情報に対してスクランブリングを行い、そのうち、異なる標識が、異なるメッセージ類型に対応し；
ステップ103：ネットワーク機器は、前記１つ又は複数のユーザ装置に、該メッセージのデータ情報及びスクランブリング後の制御情報を送信する。
【００２７】
本実施例では、ユーザ装置は、例えば、IoTシステムのMTC端末又はIoVシステムのV2P端末であっても良いが、本発明は、これに限定されず、例えば、該ユーザ装置は、さらに、他のネットワークシステムの端末であっても良い。言い換えると、本発明の実施例は、メッセージ送信／受信を行う任意のシステムに適用することができる。
【００２８】
本実施例では、該ネットワーク機器は、該ユーザ装置が属するセルの基地局であっても良く、該基地局は、マクロ基地局（例えば、eNB）であり、ユーザ装置は、該マクロ基地局が生成したマクロセル（例えば、Macro  cell）によりサービングされても良い。また、本発明の実施例の基地局は、マイクロ基地局であり、ユーザ装置は、該マイクロ基地局が生成したマイクロセル（例えば、Pico  cell又はmicro  cell）によりサービングされても良い。なお、本発明の実施例は、これに限定されず、実際のニーズに応じてその具体的なシナリオを確定しても良い。
【００２９】
また、該ネットワーク機器は、例えば、RSU（RSU、Road  Side  Unit）などの集中型制御機器又は装置であっても良い。以下、ネットワーク機器が基地局であるケースのみを例として説明を行う。
【００３０】
本実施例では、メッセージ類型は、周期的ブロードキャストメッセージ、イベントトリガーメッセージなどを含んでも良く、メッセージサービス類型を含んでも良く、又は、さらにある種類の機器が送信したメッセージなどであっても良いが、本発明は、これに限定されず、実際の状況に応じて具体的なメッセージ類型を定義しても良い。また、標識（例えば、本発明では、group-IDと称されても良い）は、RNTI（RNTI、Radio  Network  Temporary  Identity）の生成規則（ルール）に基づいて得られた標識であっても良く、ランダムに生成された標識であっても良いが、本発明は、これに限定されず、従来の任意の標識生成方法を採用しても良い。
【００３１】
本実施例では、異なる標識は、異なるメッセージ類型に対応する。メッセージ類型と標識との対応関係は、予め設定されても良く、又は、ユーザ装置が報告した補助情報に基づいて設定されても良い。メッセージ類型に対応する標識により、メッセージに対してスクランブリングを行うことで、ユーザ装置は、望ましいメッセージだけに対して処理を行っても良い。
【００３２】
表1は、異なる標識が異なるメッセージ類型に対応する例を示している。
【表１】
2019519133.tif 000003
【００３３】
なお、表1は、幾つかの例のみを示しているが、本発明は、これに限定されない。そのうち、メッセージ類型の優先レベルは、セル個別の（cell-specific）ものであっても良く、UE個別の（UE-specific）ものであっても良い。例えば、UE-specificの場合、同一のメッセージ類型は、異なるUEについて言えば、異なる優先レベルを有しても良い。
【００３４】
本実施例では、メッセージにはデータ情報が含まれ、データ情報は、例えば、下り制御情報（DCI、Downlink  Control  Information）に対応付けられても良く、DCIは、その中の情報により、例えば、該UEに送信するデータ情報が占める（占用する）時間周波数リソースなどを示しており、UEは、DCI中の該情報に基づいて該データ情報を受信し、メッセージの内容を得ることができる。本発明の実施例では、メッセージ類型に対応する標識を用いて、メッセージのDCIに対してスクランブリングを行うことができる。なお、具体的にどのようにメッセージ（データ情報）及び制御情報を伝送するか、どのようにDCIに対してスクランブリング又はスクランブリング解読を行うかは、関連技術を参照することができるので、本発明は、その詳しい説明を省略する。
【００３５】
図2は、本発明の実施例のメッセージ送信方法を示す他の図であり、基地局を例として説明を行う。図2に示すように、メッセージ送信方法は、次のようなステップを含んでも良い。
【００３６】
ステップ201：基地局は、予め設定された所定の情報又はユーザ装置が報告した補助情報に基づいて、ユーザ装置の好みのメッセージ類型を確定する。
【００３７】
本実施例では、基地局は、所定の情報に基づいて、予め、セル内の各ユーザ装置の好み（又は、希望）のメッセージ類型を確定することができる。例えば、UE1が周期的ブロードキャストメッセージ類型を好み、UE2がイベントトリガーメッセージ類型を好み、UE3がメッセージサービス類型1を好むなどである。
【００３８】
また、基地局は、ユーザ装置が報告した補助情報中のその好みのメッセージ類型（又は、さらに優先レベルを含んでも良い）に基づいて、セル内の各ユーザ装置の好みのメッセージ類型を確定することができる。例えば、UE1が報告した、その好みのメッセージ類型が周期的ブロードキャストメッセージ類型及びメッセージサービス類型2であれば、基地局は、UE1の好みのメッセージ類型が周期的ブロードキャストメッセージ類型及びメッセージサービス類型2であると確定することができる。
【００３９】
また、基地局はさらに、ユーザ装置が報告した補助情報中のユーザ装置の種類及び／又はユーザ装置の位置に基づいて、セル内の各ユーザ装置の好みのメッセージ類型を確定することができる。例えば、V2X通信では、UE1が報告したユーザ装置の種類がP-UE（Pedestrian  UE）タイプであれば、基地局は、UE1の好みのメッセージ類型がイベントトリガーメッセージ類型であると確定することができ、また、例えば、V2X通信では、UE2が位置情報を報告した場合、基地局は、UE2の好みのメッセージが、該UE2までのmメートル（ｍ）の範囲内のV-UE（Vehicle  UE）が送信するメッセージであると確定することができる。
【００４０】
なお、以上、如何にユーザ装置の好みのメッセージ類型を確定するかを例示的に説明したが、本発明は、これに限定されず、さらに、実際の状況に応じて具体的な実施方式を確定しても良い。また、ユーザ装置が補助情報を報告する場合については、後述する。
【００４１】
ステップ202：基地局は、送信待ちの２つ又は２つ以上のメッセージの内容が同じであるか又は相似しているかを判断し；
ステップ203：基地局は、前記２つ又は２つ以上のメッセージの内容が同じであり又は相似している場合、前記２つ又は２つ以上のメッセージを１つのメッセージに併合する。
【００４２】
本実施例では、同じであり又は相似しているメッセージを併合することで、基地局は、メッセージの送信量を減らし、無線インターフェースの混雑（congestion）の問題を緩和することができる。
【００４３】
ステップ204：基地局は、１つ又は複数のユーザ装置への送信待ちのメッセージのメッセージ類型を確定し；
ステップ205：基地局は、前記メッセージのメッセージ類型に基づいて、セル内にユーザ装置の好みのメッセージがあるかを判断し、セル内に任意のユーザ装置の好みのメッセージ類型のメッセージが無ければ、該メッセージを捨て（discard）又は送信せず、セル内に少なくとも１つのユーザ装置の好みのメッセージ類型のメッセージがあれば、ステップ206を実行する。
【００４４】
本実施例では、基地局は、ステップ201により、セル内の各ユーザ装置がそれぞれどのメッセージ類型を好むかを知ることができ（ユーザ装置は、ある種類のメッセージ類型を好めば、該メッセージ類型のメッセージを好む）、その後、ステップ204による該メッセージのメッセージ類型に基づいて、セル内のどのユーザ装置が該メッセージを好むか、どのユーザ装置が該メッセージを好まないかを確定することができる。
【００４５】
本実施例では、セル内に任意のユーザ装置の好みのメッセージ類型のメッセージが無ければ、該メッセージを捨て又は送信せず、これにより、基地局は、ユーザ装置の希望しないメッセージを送信する必要がなく、メッセージ送信量を減らし、無線インターフェースの混雑の問題を緩和することができる。
【００４６】
ステップ206：基地局は、該メッセージ類型に対応する標識を採用して、該メッセージの制御情報に対してスクランブリングを行い、そのうち、異なる標識が、異なるメッセージ類型に対応し；
ステップ207：基地局は、１つ又は複数のユーザ装置に、該メッセージのデータ情報及びスクランブリング後の制御情報を送信する。
【００４７】
なお、図2は、本発明の実施例を例示的に説明したが、本発明は、これに限定されない。例えば、各ステップ間の実行順序を適切に調整しても良く、また、幾つかのステップを適切に増減しても良い。例えば、１つのみの送信待ちメッセージがある場合、ステップ202及びステップ203を省略しても良い。即ち、当業者は、図2の記載に限られず、上述の内容に基づいて適切に変更を行っても良い。
【００４８】
以上、ネットワーク機器が如何にメッセージを送信するかについて例示的に説明した。以下、如何にユーザ装置が報告した補助情報又は所定の情報に基づいて標識を割り当てるか、及び／又は、受信レベルをフィードバックするかについて説明する。
【００４９】
図3は、本発明の実施例の標識割り当てを示す図であり、あるユーザ装置が報告を行うケースを示している。図3に示すように、該標識割り当てのプロセスは、次のようなステップを含んでも良い。
【００５０】
ステップ301：基地局は、ユーザ装置が報告した補助情報を受信する。
【００５１】
本実施例では、前記補助情報は、次のような情報のうちの１つ又は複数を含んでも良く、即ち、ユーザ装置の種類情報、ユーザ装置の好みのメッセージ類型情報、ユーザ装置の好みのメッセージ類型の優先レベル情報、ユーザ装置の位置情報、ユーザ装置の電力状態情報、及びユーザ装置の電力レベル情報である。
【００５２】
なお、以上のような補助情報は、ユーザ装置により、応用層又はPUSCH（PUSCH、Physical  Uplink  Shared  Channel）にて複数回報告することができる。
【００５３】
例えば、ユーザ装置の好みのメッセージ類型情報及び／又は該メッセージ類型情報の優先レベル情報は、ユーザ装置がネットワークにアクセスする時に報告しても良く、又は、周期的に報告しても良く、又は、情報（該メッセージ類型情報及び／又は該優先レベル情報）変更時に報告しても良く；
ユーザ装置の種類情報は、前記ユーザ装置がネットワークにアクセスする時に報告しても良く；
ユーザ装置の位置情報は、周期的に報告しても良く、又は、前記ユーザ装置がセルのある領域から他の領域に入る時に報告しても良く、又は、前記ユーザ装置の移動距離が所定の閾値（例えば、Xｍ）に達した時に報告しても良く；
ユーザ装置の電力状態情報及び／又は電力レベル情報は、周期的に報告しても良く、又は、情報（該電力状態情報及び／又は電力レベル情報）変更時に報告しても良い。
【００５４】
ステップ302：基地局は、ユーザ装置が報告した補助情報に基づいて、１つ又は複数のメッセージ類型のためにその対応する標識を割り当て；
ステップ303：基地局は、ユーザ装置に、メッセージ類型に対応する標識及び／又は前記標識の優先レベルを送信する。
【００５５】
本実施例では、基地局は、ユーザ装置が報告した補助情報を受信した後に、好みのメッセージ類型及びその優先レベルなどの情報に基づいて、対応する標識（Group-ID）を分配することができる。報告のメッセージ類型についてすべて既にGroup-IDを割り当てた場合、基地局は、直接、ユーザ装置に、対応するGroup-ID及びGroup-IDの優先レベルをフィードバックしても良く、報告の一部又は全部のメッセージ類型についてまだGroup-IDを分配していない場合、基地局は、それぞれ、Group-IDが分配されていない各メッセージ類型について１つGroup-IDを割り当て、また、ユーザ装置に、その好みのメッセージ類型に対応するGroup-ID及びGroup-IDの優先レベルをフィードバックすることができる。
【００５６】
図4は、本発明の実施例の標識割り当てを示す図である。図4に示すように、標識割り当てのプロセスは、次のようなステップを含んでも良い。
【００５７】
ステップ401：基地局は、所定の情報に基づいて、１つ又は複数のメッセージ類型にその対応する標識を割り当て；
ステップ402：基地局は、ユーザ装置に、メッセージ類型に対応する標識及び／又は前記標識の優先レベルを送信する。
【００５８】
本実施方式では、基地局は、予めメッセージ類型及びその優先レベルを設定し、及び、それ相応に、その対応するGroup-IDを分配しても良く、その後、ブロードキャストによりセル内のユーザ装置に通知することができる。
【００５９】
図3及び図4は、メッセージ類型に対応する標識を割り当てるケースを示している。なお、上述のGroup-IDの優先レベルの順序は、明示的に指示しても良く、Group-IDのフィードバックの順序に隠しても良い（暗示的に示しても良い）。また、基地局はさらに、共通のGroup-IDを、すべてのユーザ装置が受信する必要のメッセージのDCIをスクランブリングするために設定しても良い。
【００６０】
本実施例では、ユーザ装置が報告した補助情報中に電力状態情報及び／又は電力レベル情報が含まれている場合、基地局はさらに、それに基づいて該ユーザ装置の受信レベルを確定することもできる。
【００６１】
図5は、本発明の実施例の受信レベルのフィードバックを示す図である。図5に示すように、受信レベルのフィードバックのプロセスは、次のようなステップを含んでも良い。
【００６２】
ステップ501：基地局は、ユーザ装置報告の補助情報を受信し、そのうち、該補助情報は、ユーザ装置の電力状態情報及び／又は電力レベル情報を含み；
ステップ502：基地局は、補助情報中の電力状態情報及び／又は電力レベル情報に基づいて、前記ユーザ装置の受信レベルを確定する。
【００６３】
図3に示すように、該方法はさらに、次のようなステップを含んでも良い。
【００６４】
ステップ503：基地局は、該ユーザ装置に該受信レベルを送信する。
【００６５】
なお、図3〜図5は、本発明の実施例を例示的に説明したが、本発明は、これに限定されない。例えば、各ステップ間の実行順序を適切に調整しても良く、また、幾つかのステップを増減しても良い。また、図3〜図5の内容は、組み合わせて実施しても良く、又は、図2と組み合わせても良い。言い換えると、当業者は、図2〜図5の記載に限られず、上述の内容に基づいて適切に変更を行っても良い。
【００６６】
上述の実施例から分かるように、ネットワーク機器が、メッセージ類型に対応する標識により、メッセージの制御情報に対してスクランブリングを行い、ユーザ装置が、メッセージ類型に対応する標識により、メッセージの制御情報に対してスクランブリング解読を行い、制御情報のスクランブリング解読が成功した場合、継続してデータ情報を受信し、これにより、ユーザ装置は、望ましくないメッセージに対して継続して処理しないため、ユーザ装置の電力消費を軽減することができる。
【００６７】
また、ネットワーク機器がさらに、ユーザ装置の望ましくないメッセージをフィルタリングし（捨て）、又は、同じであり又は相似しているメッセージを併合することができ、これにより、基地局は、メッセージ送信量を減らし、無線インターフェースの混雑の問題を緩和することができる。
【実施例２】
【００６８】
本発明の実施例は、メッセージ受信方法を提供し、以下、ユーザ装置側からそれを説明する。なお、本発明の実施例では、実施例1と同じである内容は省略される。
【００６９】
図6は、本発明の実施例のメッセージ受信方法を示す図である。図6に示すように、メッセージ受信方法は、次のようなステップを含む。
【００７０】
ステップ601：ユーザ装置は、メッセージ類型に対応する標識を採用して、受信した制御情報に対してスクランブリング解読を行い、そのうち、異なる標識が、異なるメッセージ類型に対応し；
ステップ602：ユーザ装置は、該制御情報を成功裏にスクランブリング解読した場合、前記制御情報に対応づけられているデータ情報を受信する。
【００７１】
本実施例では、メッセージ類型と標識との対応関係は、予め設置されても良く、又は、基地局により、ユーザ装置が報告した補助情報に基づいて設定されても良い。そのうち、前記標識が複数ある場合、前記標識の優先レベルに基づいて、受信した制御情報に対してスクランブリング解読を行っても良い。
【００７２】
例えば、優先レベルに従って、順に、異なる標識を用いて、DCIに対してスクランブリング解読を行うことができる。例えば、まず、優先レベルが最も高い標識を基づいて、DCIに対してスクランブリング解読を行い、スクランブリング解読成功の場合、該DCIに対応づけられているデータ情報を継続して受信し、スクランブリング解読不成功の場合、優先レベルが２番目に高い標識を用いて、該DCIに対してスクランブリング解読を行い、その他は、これに基づいて類推することができ；該ユーザ装置のすべての標識について、すべて、該DCIを成功裏にスクランブリング解読することができない場合、該DCIに対応づけられているメッセージが該ユーザ装置の好みのメッセージ類型に属しないことを示し、この場合、該メッセージに対して継続して処理しない。これにより、ユーザ装置は、その好みのメッセージ類型について、優先レベルに従って、順にメッセージを受信することで、ユーザ装置の電力消費を軽減することができる。
【００７３】
図7は、本発明の実施例のメッセージ受信方法を示す他の図であり、依然として基地局を例として説明を行う。図7に示すように、メッセージ受信方法は、次のようなステップを含む。
【００７４】
ステップ701：ユーザ装置は、基地局送信の、メッセージ類型に対応する標識及び／又は前記標識の優先レベルを受信する。
【００７５】
本実施例では、メッセージ類型に対応する標識は、１つ又は複数を有しても良い。メッセージ類型と標識との対応関係は、基地局により予め設定されても良く、又は、基地局により、ユーザ装置報告の補助情報に基づいて設定されても良い。
【００７６】
例えば、ユーザ装置が受信した標識がID1（優先レベル1に対応する）、ID2（優先レベル2に対応する）、ID3（優先レベル3に対応する）であるとする。
【００７７】
ステップ702：ユーザ装置は、受信レベルを確定し；
本実施例では、ユーザ装置は、現在の電力状態及び／又は現在の電力レベルに基づいて、前記ユーザ装置の受信レベルを確定しても良く、又は、基地局から受信した受信レベル情報に基づいて、前記ユーザ装置の受信レベルを受信しても良い。
【００７８】
例えば、現在の電力状態が60%の場合、現在のユーザ装置の受信レベルが2であると確定する。
【００７９】
ステップ703：ユーザ装置は、基地局が送信した、ある制御情報を受信し；
ステップ704：ユーザ装置は、優先レベルが前記受信レベル以上である１つ又は複数の標識を用いて、受信した制御情報に対してスクランブリング解読を行い；
例えば、ID2及びID3（優先レベルがすべて2以上である）を用いて、DCIに対してスクランブリング解読を行う。
【００８０】
ステップ705：ユーザ装置は、該制御情報を成功裏にスクランブリング解読した場合、前記制御情報に対応づけられているデータ情報を受信する。
【００８１】
これにより、ユーザ装置は、現在の電力状態／レベルに基づいて、一部の高優先レベルのメッセージを選択して受信することができ、即ち、高優先レベルメッセージ類型に対応するGroup-IDのみを用いて、下り制御情報をスクランブリング解読することで、ユーザ装置の電力消費をさらに軽減することができる。
【００８２】
本実施例では、図3に示すように、ユーザ装置は、ネットワーク機器に補助情報を報告し、また、ネットワーク機器が補助情報に基づいて分配した前記メッセージ類型に対応する標識及び／又は前記標識の優先レベルを受信することができる。
【００８３】
そのうち、前記補助情報は、次のような情報のうちの１つ又は複数を含んでも良く、即ち、ユーザ装置の種類情報、ユーザ装置の好みのメッセージ類型情報、ユーザ装置の好みのメッセージ類型の優先レベル情報、ユーザ装置の位置情報、ユーザ装置の電力状態情報、及びユーザ装置の電力レベル情報である。
【００８４】
本実施例では、前記ユーザ装置の好みのメッセージ類型情報及び／又は前記優先レベル情報は、ユーザ装置がネットワークにアクセスする時に報告しても良く、又は、周期的に報告しても良く、又は、情報変更時に報告しても良く；
前記ユーザ装置の種類情報は、前記ユーザ装置がネットワークにアクセスする時に報告しても良く；
前記ユーザ装置の位置情報は、周期的に報告しても良く、又は、前記ユーザ装置がセルのある領域から他の領域に進入する時に報告しても良く、又は、前記ユーザ装置の移動距離が所定の閾値に達した時に報告しても良く；
前記ユーザ装置の電力状態情報及び／又は電力レベル情報は、周期的に報告しても良く、又は、情報の変更が生じた時に報告しても良い。
【００８５】
なお、以上、補助情報の報告方式を例示的に説明したが、本発明は、これに限定されない。
【００８６】
本実施例では、図4に示すように、ユーザ装置はさらに、ネットワーク機器が所定の情報に基づいて分配した、前記メッセージ類型に対応する標識及び／又は前記標識の優先レベルを受信しても良い。
【００８７】
本実施例では、図5に示すように、ユーザ装置は、ネットワーク機器に補助情報を報告し、また、ネットワーク機器が補助情報に基づいてフィードバックした受信レベルを受信しても良い。
【００８８】
なお、図7は、本発明の実施例を例示的に説明したが、本発明は、これに限定されない。例えば、各ステップ間の実行順序を適切に調整しても良く、また、幾つかのステップを適切に増減しても良い。また、図7はさらに、図3〜図5の内容と組み合わせても良い。言い換えると、当業者は、図7の記載に限られず、上述の内容に基づいて適切な変更を行っても良い。
【００８９】
上述の実施例から分かるように、ネットワーク機器が、メッセージ類型に対応する標識を用いて、メッセージの制御情報に対してスクランブリングを行い、ユーザ装置が、メッセージ類型に対応する標識を用いて、メッセージの制御情報に対してスクランブリング解読を行い、制御情報のスクランブリング解読が成功した場合、データ情報を継続して受信し、これにより、ユーザ装置は、望ましくないメッセージを継続して処理せず、ユーザ装置の電力消費を軽減することができる。
【００９０】
また、ユーザ装置は、受信レベルに基づいて、一部のメッセージを選択的に受信することができ、例えば、高優先レベルメッセージ類型に対応する標識のみを用いて、制御情報をスクランブリング解読することで、ユーザ装置の電力消費をさらに軽減することができる。
【実施例３】
【００９１】
本発明の実施例は、メッセージ送信装置を提供し、それは、ネットワーク機器に構成されても良い。本発明の実施例は、実施例1中のメッセージ送信方法に対応し、実施例1と同じである内容は、省略される。
【００９２】
図8は、本発明の実施例のメッセージ送信装置を示す図である。図8に示すように、メッセージ送信装置800は、次のようなものを含む。
【００９３】
類型確定ユニット801：１つ又は複数のユーザ装置への送信待ちのメッセージのメッセージ類型を確定し；
情報スクランブリングユニット802：前記メッセージ類型に対応する標識を採用して、前記メッセージの制御情報に対してスクランブリングを行い、そのうち、異なる標識が、異なるメッセージ類型に対応し；
メッセージ送信ユニット803：前記１つ又は複数のユーザ装置に、前記メッセージのデータ情報及びスクランブリング後の制御情報を送信する。
【００９４】
本実施例では、前記メッセージ類型と前記標識との対応関係は、予め設定されても良く、又は、ユーザ装置報告の補助情報に基づいて設定されても良い。
【００９５】
図9は、本発明の実施例のメッセージ送信装置を示す他の図である。図9に示すように、メッセージ送信装置900は、類型確定ユニット801、情報スクランブリングユニット802、及びメッセージ送信ユニット803を上述のように含む。
【００９６】
図9に示すように、メッセージ送信装置900はさらに、次のようなものを含んでも良い。
【００９７】
好み確定ユニット901：所定の情報又はユーザ装置報告の補助情報に基づいて、ユーザ装置の好みのメッセージ類型を確定する。
【００９８】
図9に示すように、メッセージ送信装置900はさらに、次のようなものを含んでも良い。
【００９９】
ユーザ判断ユニット902：前記メッセージのメッセージ類型に基づいて、セル内にユーザ装置の好みのメッセージがあるかを判断し；及び
情報スクランブリングユニット802及びメッセージ送信ユニット803：前記セル内にユーザ装置の好みの前記メッセージがある場合に、前記メッセージ類型に対応する標識を採用して、前記制御情報に対してスクランブリングを行い、また、前記メッセージのデータ情報及びスクランブリング後の制御情報を送信する。
【０１００】
図9に示すように、メッセージ送信装置900はさらに、次のようなものを含んでも良い。
【０１０１】
メッセージ判断ユニット903：送信待ちの２つ又は２つ以上のメッセージの内容が同じであり又は相似しているかを判断し；
メッセージ併合ユニット904：前記２つ又は２つ以上のメッセージの内容が同じであり又は相似している場合、前記２つ又は２つ以上のメッセージを１つのメッセージに併合する。
【０１０２】
図9に示すように、メッセージ送信装置900はさらに、次のようなものを含んでも良い。
【０１０３】
情報受信ユニット905：前記１つ又は複数のユーザ装置が報告した補助情報を受信する。
【０１０４】
そのうち、前記補助情報は、次のような情報のうちの１つ又は複数を含み、即ち、ユーザ装置の種類情報、ユーザ装置の好みのメッセージ類型情報、ユーザ装置の好みのメッセージ類型の優先レベル情報、ユーザ装置の位置情報、ユーザ装置の電力状態情報、及びユーザ装置の電力レベル情報である。
【０１０５】
図9に示すように、メッセージ送信装置900はさらに、次のようなものを含んでも良い。
【０１０６】
標識割り当てユニット906：所定の情報又はユーザ装置報告の補助情報に基づいて、１つ又は複数のメッセージ類型のためにその対応する標識を分配する。
【０１０７】
図9に示すように、メッセージ送信装置900はさらに、次のようなものを含んでも良い。
【０１０８】
標識送信ユニット907：前記１つ又は複数のユーザ装置に、前記メッセージ類型に対応する標識及び／又は前記標識の優先レベルを送信する。
【０１０９】
図9に示すように、メッセージ送信装置900はさらに、次のようなものを含んでも良い。
【０１１０】
レベル確定ユニット908：前記補助情報中の電力状態情報及び／又は電力レベル情報に基づいて、前記ユーザ装置の受信レベルを確定する。
【０１１１】
図9に示すように、メッセージ送信装置900はさらに、次のようなものを含んでも良い。
【０１１２】
レベル送信ユニット909：前記１つ又は複数のユーザ装置に前記受信レベルを送信する。
【０１１３】
上述の実施例から分かるように、ネットワーク機器がメッセージ類型に対応する標識により、メッセージの制御情報に対してスクランブリングを行い、ユーザ装置がメッセージ類型に対応する標識により、メッセージの制御情報に対してスクランブリング解読を行い、制御情報のスクランブリング解読が成功した場合、データ情報を継続して受信し、これにより、ユーザ装置は、望ましくないメッセージを継続して処理せず、ユーザ装置の電力消費を軽減することができる。
【実施例４】
【０１１４】
本発明の実施例は、メッセージ受信装置を提供し、それは、ユーザ装置に構成されても良い。本発明の実施例は、実施例2中のメッセージ受信方法に対応し、実施例1又は実施例2と同じである内容は、省略される。
【０１１５】
図10は、本発明の実施例のメッセージ受信装置を示す図である。図10に示すように、メッセージ受信装置1000は、次のようなものを含む。
【０１１６】
スクランブリング解読ユニット1001：メッセージ類型に対応する標識を採用して、受信した制御情報に対してスクランブリング解読を行い、そのうち、異なる標識が、異なるメッセージ類型に対応し；
メッセージ受信ユニット1002：前記制御情報を成功裏にスクランブリング解読した場合、前記制御情報に対応づけられているデータ情報を受信する。
【０１１７】
本実施例では、スクランブリング解読ユニット1001は、前記標識が複数ある場合、前記標識の優先レベルに従って、受信した制御情報に対してスクランブリング解読を行っても良い。
【０１１８】
図11は、本発明の実施例のメッセージ受信装置を示す他の図である。図11に示すように、メッセージ受信装置1100は、スクランブリング解読ユニット1001及びメッセージ受信ユニット1002を上述のように含む。
【０１１９】
図11に示すように、メッセージ受信装置1100はさらに、次のようなものを含んでも良い。
【０１２０】
情報報告ユニット1101：ネットワーク機器に補助情報を報告する。
【０１２１】
そのうち、前記補助情報は、次のような情報のうちの１つ又は複数を含んでも良く、即ち、ユーザ装置の種類情報、ユーザ装置の好みのメッセージ類型情報、ユーザ装置の好みのメッセージ類型の優先レベル情報、ユーザ装置の位置情報、ユーザ装置の電力状態情報、及びユーザ装置の電力レベル情報である。
【０１２２】
例えば、前記ユーザ装置の好みのメッセージ類型情報及び／又は前記優先レベル情報は、ユーザ装置がネットワークにアクセスする時に報告しても良く、又は、周期的に報告しても良く、又は、情報の変更が生じた時に報告しても良く；
前記ユーザ装置の種類情報は、前記ユーザ装置がネットワークにアクセスする時に報告しても良く；
前記ユーザ装置の位置情報は、周期的に報告しても良く、又は、前記ユーザ装置がセルのある領域から他の領域に進入する時に報告しても良く、又は、前記ユーザ装置の移動距離が所定の閾値に達した時に報告しても良く；
前記ユーザ装置の電力状態情報及び／又は電力レベル情報は、周期的に報告しても良く、又は、情報の変更が生じた時に報告しても良い。
【０１２３】
図11に示すように、メッセージ受信装置1100はさらに、次のようなものを含んでも良い。
【０１２４】
標識受信ユニット1102：ネットワーク機器が送信した、前記メッセージ類型に対応する標識及び／又は前記標識の優先レベルを受信する。
【０１２５】
図11に示すように、メッセージ受信装置1100はさらに、次のようなものを含んでも良い。
【０１２６】
レベル受信ユニット1103：ネットワーク機器送信の受信レベル情報を受信し、そのうち、前記受信レベル情報は、前記ネットワーク機器により、前記補助情報中の電力状態情報及び／又は電力レベル情報に基づいて確定される。
【０１２７】
図11に示すように、メッセージ受信装置1100はさらに、次のようなものを含んでも良い。
【０１２８】
レベル確定ユニット1104：ユーザ装置の現在の電力状態及び／又は現在の電力レベルに基づいて、前記ユーザ装置の受信レベルを確定し、又は、ネットワーク機器が受信した受信レベル情報に基づいて、前記ユーザ装置の受信レベルを確定する。
【０１２９】
スクランブリング解読ユニット1001は、さらに、優先レベルが前記受信レベル以上である１つ又は複数の標識を用いて、受信した制御情報に対してスクランブリング解読を行っても良い。
【０１３０】
上述の実施例から分かるように、ネットワーク機器がメッセージ類型に対応する標識により、メッセージに対応づけられている制御情報に対してスクランブリングを行い、ユーザ装置がメッセージ類型に対応する標識により、メッセージに対応づけられている制御情報に対してスクランブリング解読を行い、制御情報のスクランブリング解読が成功した場合、データ情報を継続受信し、これにより、ユーザ装置は、望ましくないメッセージを継続して処理せず、ユーザ装置の電力消費を軽減することができる。
【実施例５】
【０１３１】
本発明の実施例は、通信システムを提供し、実施例1〜実施例4と同じである内容は、省略される。
【０１３２】
図12は、本発明の実施例の通信システムの構成図である。図12に示すように、該通信システム1200は、ネットワーク機器（例えば、基地局）1201及びユーザ装置1202を含む。そのうち、ネットワーク機器1201は、実施例3に記載のようなメッセージ送信装置800又は900が構成されても良く、ユーザ装置1202は、実施例4に記載のようなメッセージ受信装置1000又は1100が構成されても良い。
【０１３３】
本発明の実施例はさらに、ネットワーク機器を提供する。
【０１３４】
図13は、本発明の実施例のネットワーク機器の構成図である。図13に示すように、ネットワーク機器1300は、中央処理装置（CPU）1301及び記憶器1302を含んでも良く、記憶器1302は、中央処理装置1301に接続される。そのうち、該記憶器1302は、各種のデータを記憶することができ、また、さらに情報処理用のプログラムを記憶することもでき、また、中央処理装置1301の制御下で該プログラムを、ユーザ装置送信の各種情報を受信し且つユーザ装置に要求情報を送信するように実行しても良い。
【０１３５】
１つの実施方式では、メッセージ送信装置800又は900の機能は、中央処理装置1301に統合することができる。そのうち、中央処理装置1301は、実施例1に記載のようなメッセージ送信方法を実現するように構成されても良い。
【０１３６】
例えば、該中央処理装置1301は、次のような制御を行うように構成されても良く、即ち、１つ又は複数のユーザ装置への送信待ちのメッセージのメッセージ類型を確定し；前記メッセージ類型に対応する標識を採用して、前記メッセージの制御情報に対してスクランブリングを行い、そのうち、異なる標識が、異なるメッセージ類型に対応し；前記１つ又は複数のユーザ装置に前記メッセージのデータ情報及びスクランブリング後の制御情報を送信する。
【０１３７】
もう１つの実施方式では、メッセージ送信装置800又は900は、央処理装置1301と分離して配置されても良い。例えば、メッセージ送信装置800又は900は、中央処理装置1301に接続されるチップとして構成され、中央処理装置1301の制御下でメッセージ送信装置800又は900の機能を実現しても良い。
【０１３８】
また、図13に示すように、ネットワーク機器1300はさらに、送受信機1303、アンテナ1304などを含んでも良く、これらの部品の機能は、従来技術に類似しており、ここでは、その詳しい説明を省略する。なお、ネットワーク機器1300は、必ずしも図13中のすべての部品を含む必要がない。また、ネットワーク機器1300はさらに、図13中に無いものを含んでも良く、これについては、従来技術を参照することができる。
【０１３９】
本実施例はさらに、ユーザ装置を提供する。
【０１４０】
図14は、本発明の実施例のユーザ装置1400のシステム構成図である。図14に示すように、該ユーザ装置1400は、中央処理装置1401及び記憶器1402を含んでも良く、記憶器1402は、中央処理装置1401に接続される。なお、該図は、例示的に過ぎず、さらに該構造に対して他の類型の構造を用いて補充又は代替を行うことで、電気通信機能又は他の機能を実現しても良い。
【０１４１】
図14に示すように、中央処理装置1401は、制御器又は操作コントローラと称される場合があり、マイクロ処理器又は他の処理器装置及び／又は論理装置を含んでも良く、該中央処理装置1401は、入力を受信してユーザ装置1400の各部品の操作を制御することができる。
【０１４２】
そのうち、中央処理装置1401は、実施例2に記載のようなメッセージ受信方法を実現するように構成されても良い。例えば、中央処理装置1401は、次のような制御を行うように構成されても良く、即ち、メッセージ類型に対応する標識を採用して、受信した制御情報に対してスクランブリング解読を行い、そのうち、異なる標識が、異なるメッセージ類型に対応し；前記制御情報を成功裏にスクランブリング解読した場合に、前記制御情報に対応づけられているデータ情報を受信する。
【０１４３】
図14に示す、該ユーザ装置1400はさらに、通信モジュール1403、入力ユニット1404、音声処理器1405、表示器1406、電源1407などを含んでも良い。なお、ユーザ装置1400は、必ずしも図14中のすべての部品を含む必要がない。また、ユーザ装置1400はさらに、図14にないものを含んでも良く、これについては、従来技術を参照することができる。
【０１４４】
本発明の実施例はさらに、コンピュータ可読プログラムを提供し、そのうち、ネットワーク機器中で前記プログラムを実行する時に、前記プログラムは、コンピュータに、実施例1に記載のメッセージ送信方法を実行させる。
【０１４５】
本発明の実施例はさらに、コンピュータ可読プログラムを記憶した記憶媒体を提供し、そのうち、前記コンピュータ可読プログラムは、コンピュータに、実施例1に記載のメッセージ送信方法を実行させる。
【０１４６】
本発明の実施例はさらに、コンピュータ可読プログラムを提供し、そのうち、ユーザ装置中で前記プログラムを実行する時、前記プログラムは、コンピュータに、実施例2に記載のメッセージ受信方法を実行させる。
【０１４７】
本発明の実施例はさらに、コンピュータ可読プログラムを記憶した記憶媒体を提供し、そのうち、前記コンピュータ可読プログラムは、コンピュータに、実施例2に記載のメッセージ受信方法を実行させる。
【０１４８】
本発明の以上の装置及び方法は、ソフトウェア、又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述の装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１４９】
図面（例えば、図８）に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用集積バックホール（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【０１５０】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2019519133.tif 000004
【図２】
2019519133.tif 000005
【図３】
2019519133.tif 000006
【図４】
2019519133.tif 000007
【図５】
2019519133.tif 000008
【図６】
2019519133.tif 000009
【図７】
2019519133.tif 000010
【図８】
2019519133.tif 000011
【図９】
2019519133.tif 000012
【図１０】
2019519133.tif 000013
【図１１】
2019519133.tif 000014
【図１２】
2019519133.tif 000015
【図１３】
2019519133.tif 000016
【図１４】
2019519133.tif 000017
【国際調査報告】
2019519133.tif 000018
2019519133.tif 000019
2019519133.tif 000020
2019519133.tif 000021